(57)【要約】【課題】      パラソルの柄の角度が容易に調整出来るパラソルの柄の角度調整装置を提供することである。【解決手段】  支柱１に第１保持体２の円弧部２ａが取り付けられ、第２保持体３の円弧部３ａにパラソル４の柄５が保持され、第１保持体２と第２保持体３に円弧部と直交する方向にネジ杆６が挿通されてナット７で締め付けられる。  第１保持体２の一方の腕部２ｂの外面に角形の凹部２ｆが形成されて他方の腕部２ｃの外側に凹凸２ｇが形成され、第２保持体３の一方の腕部３ｂの外側に凹凸３ｆが形成されて他方の腕部３ｃの外面は平面３ｇに形成されている。  ネジ杆６は角形の頭部６ａと軸部６ｂと螺子部６ｃで形成され、ナット７はナット部７ａと腕部７ｂで形成されている。【選択図】        図２
2007195773.tif 000002
【特許請求の範囲】
【請求項１】
支柱に取り付けた第１保持体とパラソルの柄を保持する第２保持体をネジ杆に挿通して締め付け可能にすると共に両保持体の接合面に互いに係合する凹凸を設けて一方に対して他方を角度調整可能としたことを特徴とするパラソルの柄の角度調整装置。
【発明の詳細な説明】
【技術分野】
【０００１】
本発明は、釣り場で雨、風、日をよけるために設置するパラソルの柄の角度調整装置に関する。
【背景技術】
【０００２】
従来特許文献１のように釣り場でパラソルを基体に取り付けて日陰を作る提案はあるが、パラソルの柄の角度を調整することはできない。
特許文献２には主支持棒に副支持棒を支持金具と締付ボルトと回動螺で回動可能に調整する構造が提案されている。
しかし、支持金具と締付ボルトと回動螺では節度を持って角度調整が出来ないので、回動螺を緩めるとズルズルと副支持棒の角度が変わることになり、柄の上端に重量のあるパラソルの柄の角度調整に使用すると位置や角度が変わりやすい。
【特許文献１】実開平３−１０６９２２号公報
【特許文献２】実開昭４８−１０３５８３号公報
【発明の開示】
【発明が解決しようとする課題】
【０００３】
解決しようとする問題点は、節度を持って角度調整出来ないと、柄の上端に重量のあるパラソルでは角度調整が面倒であると共に、角度がずれたり、柄が倒れたりすることである。
【０００４】
本発明の目的は前記欠点に鑑み、パラソルの柄の角度を容易に調整出来確実に保持できるパラソルの柄の角度調整装置を提供することである。
【課題を解決するための手段】
【０００５】
本発明の請求項１は、支柱に取り付けた第１保持体とパラソルの柄を保持する第２保持体をネジ杆に挿通して締め付け可能にすると共に両保持体の接合面に互いに係合する凹凸を設けて一方に対して他方を角度調整可能としたことを要旨とするものである。
【発明の効果】
【０００６】
本発明の請求項１により、角度調整中にナットを緩めて第１保持体の凹凸の山を第２保持体の凹凸の山が乗り越えるまでは、角度調整前の位置が保持出来るので、上端が重いパラソルの柄の保持が容易で、支柱に対して角度調整が容易に出来る。
【発明を実施するための最良の形態】
【０００７】
支柱１に第１保持体２が取り付けられ、第２保持体３にパラソル４の柄５が保持され、第１保持体２と第２保持体３にネジ杆６が挿通されてナット７で締め付けられる。
第１保持体２は円弧部２ａと二股の腕部２ｂ、２ｃでＵ字形に一体に形成されている。
二股の腕部２ｂ、２ｃに円弧部２ａ方向とは直交する方向に透孔２ｄ、２ｅが夫々形成され、一方の腕部２ｂの外面に角形の凹部２ｆが形成され、他方の腕部２ｃの外側に凹凸２ｇが形成されている。
第２保持体３は円弧部３ａと二股の腕部３ｂ、３ｃでＵ字形に一体に形成されている。
二股の腕部３ｂ、３ｃに円弧部３ａ方向とは直交する方向に透孔３ｄ、３ｅが夫々形成され、一方の腕部３ｂの外側に凹凸３ｆが形成され、他方の腕部３ｃの外面は平面３ｇに形成されている。
ネジ杆６は角形の頭部６ａと軸部６ｂと螺子部６ｃで形成されている。
ナット７はナット部７ａと腕部７ｂで形成されている。
【実施例１】
【０００８】
以下、図示の一実施例によって本発明を説明すると、図１は支柱にパラソルの柄が角度調整装置で取り付けられた斜視図と一部拡大斜視図、図２は角度調整装置の平面図、図３（ａ）は第２保持体の凹凸面側の側面図で（ｂ）は第１保持体の凹凸面側の側面図である。
【０００９】
パラソルの柄の角度調整装置は、支柱１に第１保持体２が取り付けられ、第２保持体３にパラソル４の柄５が保持され、第１保持体２と第２保持体３にネジ杆６が挿通されてナット７で締め付けられる。
第１保持体２は円弧部２ａと二股の腕部２ｂ、２ｃでＵ字形に一体に形成されている。
二股の腕部２ｂ、２ｃに円弧部２ａ方向とは直交する方向に透孔２ｄ、２ｅが夫々形成され、一方の腕部２ｂの外面に角形の凹部２ｆが形成され、他方の腕部２ｃの外側に凹凸２ｇが形成されている。
第２保持体３は円弧部３ａと二股の腕部３ｂ、３ｃでＵ字形に一体に形成されている。
二股の腕部３ｂ、３ｃに円弧部３ａ方向とは直交する方向に透孔３ｄ、３ｅが夫々形成され、一方の腕部３ｂの外側に凹凸３ｆが形成され、他方の腕部３ｃの外面は平面３ｇに形成されている。
ネジ杆６は角形の頭部６ａと軸部６ｂと螺子部６ｃで形成されている。
ナット７はナット部７ａと腕部７ｂで形成されている。
ネジ杆６の軸部６ｂは第１保持体２の二股の腕部２ｂ、２ｃの透孔２ｄ、２ｅと第２保持体３の二股の腕部３ｂ、３ｃの透孔３ｄ、３ｅに挿通され、角形の頭部６ａは一方の腕部２ｂの角形の凹部２ｆに挿入されてネジ杆６が第１保持体２に回り止めされている。
ネジ杆６の螺子部６ｃにナット７のナット部７ａが螺合される。
【００１０】
パラソルの柄の角度調整装置が使用される時は、支柱１を使用する場所の地面に差し込んで支持し、第１保持体２と第２保持体３を凹凸２ｇと凹凸３ｆを重ね合わせて透孔２ｄ、２ｅと透孔３ｄ、３ｅにネジ杆６を挿通してナット７を螺合してナット部７ａが第２保持体３の平面３ｇに当接するまで螺合される。
次に第１保持体２の円弧部２ａの内側に支柱１の外周が嵌合され、第２保持体３の円弧部３ａの内側にパラソル４の柄５の外周が嵌合される。
その後ナット７が締め付けられると、第１保持体２と第２保持体３が重ねられた状態で保持される。
パラソルの柄に角度を持たせる時は、パラソル４の柄５を保持して凹凸２ｇの山を凹凸３ｆの山が乗り越えることが可能な状態にナット７を緩め、パラソル４の柄５を所望の位置に倒してナット７を締め付けると角度調整が終了する。
角度調整中にナット７を緩めて凹凸２ｇの山を凹凸３ｆの山が乗り越えるまでは、角度調整前の位置が保持出来る。
【００１１】
前記のようにパラソルの柄の角度調整装置が構成されると、角度調整中にナット７を緩めて第１保持体２の凹凸２ｇの山を第２保持体３の凹凸３ｆの山が乗り越えるまでは、角度調整前の位置が保持出来るので、上端が重いパラソル４の柄５の保持が容易で、支柱１に対して角度調整が容易に出来る。
なお、第１保持体２で支柱１を挾持し、第２保持体３でパラソル４の柄５を挾持したが、第１保持体２でパラソル４の柄５を挾持し、第２保持体３で支柱１を挾持してもよい。
【産業上の利用可能性】
【００１２】
本発明はパラソルの柄の角度調整装置全般に利用できる。
【図面の簡単な説明】
【００１３】
【図１】支柱にパラソルの柄が角度調整装置で取り付けられた斜視図と一部拡大斜視図である。
【図２】同角度調整装置の平面図である。
【図３】同（ａ）は第２保持体の凹凸面側の側面図で（ｂ）は第１保持体の凹凸面側の側面図である。
【符号の説明】
【００１４】
１  支柱
２  第１保持体
２ｇ、３ｆ  凹凸
３  第２保持体
４  パラソル
５  柄
【図１】
2007195773.tif 000003
【図２】
2007195773.tif 000004
【図３】
2007195773.tif 000005